(57)【特許請求の範囲】
【請求項１】
薬品トレイをトレイ搬送ラインに供給する薬品トレイ供給装置において、
前記薬品トレイを上下に積み重ねた薬品トレイ群を支持する準備用カートと、
前記準備用カートを待機位置に位置決めするカート位置決め手段と、
前記待機位置に位置決めされた準備用カートを搬入位置まで移送し、搬入位置に位置する準備用カートを待機位置まで移送するカート移送手段と、
前記搬入位置に移送された準備用カートから薬品トレイ群を保持して供給準備位置に移動させ、前記供給準備位置の薬品トレイ群から最下部に位置する薬品トレイをトレイ搬送ラインに供給するトレイ供給手段と、
前記待機位置に位置決めした準備用カートに載置した薬品トレイ群が、前記トレイ供給手段により昇降可能な最大積み重ね数を超えて積み重ねられたことを検出するトレイ検出手段と、
前記カート移送手段により準備用カートを待機位置から搬入位置に移送させ、搬入位置から待機位置に移送させる制御手段と、
を備え、
前記制御手段は、トレイ検出手段で最大積み重ね数を超えて積み重ねられたことが検出されれば、エラー報知させることを特徴とする薬品トレイ供給装置。
【請求項２】
前記制御手段は、準備用カートが待機位置に位置決めされているか否かを判断する薬品トレイ予約処理を実行することを特徴とする請求項１に記載の薬品トレイ供給装置。
【請求項３】
前記制御手段は、前記薬品トレイ予約処理で、前記準備用カートが待機位置に位置決めされていると判断すれば、前記カート移送手段により準備用カートを待機位置から搬入位置に移送させ、前記トレイ供給手段により、前記準備用カートに支持した薬品トレイをトレイ搬送ラインに供給することを特徴とする請求項２に記載の薬品トレイ供給装置。
【請求項４】
前記制御手段は、前記トレイ供給手段の薬品トレイが全てトレイ搬送ラインに供給された後、前記カート移送手段により前記準備用カートを待機位置から搬入位置に移送させることを特徴とする請求項３に記載の薬品トレイ供給装置。
【請求項５】
前記準備用カートは、少なくとも２箇所に係止受部を備え、
前記カート位置決め手段は、前記準備用カートの２箇所の係止受部が係脱可能な係止部を備え、
前記カート移送手段は、前記係止部を移動させることにより準備用カートを待機位置と搬入位置との間で往復移動させることを特徴とする請求項１から４のいずれか１項に記載の薬品トレイ供給装置。
【請求項６】
前記位置決め手段は、前記カート移送手段が、準備用カートを搬入位置から待機位置を超えた排出位置に移動させた後、係止部による係止受部への係止状態を維持するようにしたことを特徴とする請求項５に記載の薬品トレイ供給装置。
【請求項７】
前記位置決め手段は、準備用カートが待機位置に位置するとき、係止部による係止受部の係止状態を解除可能であることを特徴とする請求項５又は６に記載の薬品トレイ供給装置。
【請求項８】
前記トレイ供給手段は、準備用カートの搬入方向に沿って両側にそれぞれ配置した昇降シャフトに沿って昇降するトレイ保持部を備え、
前記トレイ保持部は、両側の各昇降シャフトに噛合するピニオンギアを両端部に有する連結シャフトを備え、
前記昇降シャフトに沿って配置され、前記各ピニオンギアに噛合するラックギアをそれぞれ備えたことを特徴とする請求項１から７のいずれか１項に記載の薬品トレイ供給装置。
【請求項９】
前記薬品トレイは、仕切板を取り付けることにより内部が複数の収容部に区画され、
前記仕切板が所定の位置にセットされているか否か、あるいは、薬品トレイが正規の位置に停止しているか否かの薬品トレイのエラーを検出するエラー検出手段をさらに備えたことを特徴とする請求項１から８のいずれか１項に記載の薬品トレイ供給装置。
【請求項１０】
前記エラー検出手段は、駆動シャフトを中心として、検出位置と非検出位置の間で回動可能に設けたブラケットからなり、
前記ブラケットを検出位置に付勢する付勢手段と、
前記付勢手段によって付勢されたブラケットが検出位置を超えて回動することを防止する回動阻止手段と、をさらに備えたことを特徴とする請求項９に記載の薬品トレイ供給装置。
【請求項１１】
前記エラー検出手段によって薬品トレイのエラーが検出されると、その旨を報知する報知手段をさらに備えたことを特徴とする請求項９又は１０に記載の薬品トレイ供給装置。
【請求項１２】
前記制御手段は、前記エラー検出手段によって薬品トレイのエラーが検出されると、該薬品トレイに対して、その後の処理を行わないことを特徴とする請求項９から１１のいずれか１項に記載の薬品トレイ供給装置。
【発明の詳細な説明】
【技術分野】
【０００１】
本発明は、薬品を収容した薬品トレイをトレイ搬送ラインに自動供給するための薬品トレイ供給装置に関するものである。
【背景技術】
【０００２】
従来、積層した容器を最下位に位置するものから順に取り出すことにより自動供給可能とした包装容器の自動供給装置が公知である（例えば、特許文献１参照）。
【０００３】
しかしながら、前記特許文献１には、包装容器の自動取出についての記載はあるが、容器自体をセットするための構成については開示がない。薬品を収容して病棟に搬送するために使用される薬品トレイでは、比較的重量が大きいため、前記自動供給装置に、薬品トレイを積層した状態でセットすることは非常に困難である。また、仮にセットできたとしても、十分な数を積み重ねることはできない。例えば、大病院では、前日の夜から全病棟のアンプル払出処理を行っている。この場合、自動供給装置が１台ではトレイの数が足りないため、複数台（３〜４台）並設する必要がある。このため、設備を導入するコストがかかり、占有スペースが大きくなってしまう。
【先行技術文献】
【特許文献】
【０００４】
【特許文献１】特開平０６−１８３５６８号公報
【発明の概要】
【発明が解決しようとする課題】
【０００５】
本発明は、薬品トレイを積み重ねた薬品トレイ群であっても簡単にセットすることができ、次の薬品トレイ群をも予めセットして自動的に供給可能な状態とすることのできるトレイ供給装置を提供することを課題とする。
【課題を解決するための手段】
【０００６】
本発明は、前記課題を解決するための手段として、
薬品トレイをトレイ搬送ラインに供給する薬品トレイ供給装置において、
前記薬品トレイを上下に積み重ねた薬品トレイ群を支持する準備用カートと、
前記準備用カートを待機位置に位置決めするカート位置決め手段と、
前記待機位置に位置決めされた準備用カートを搬入位置まで移送し、搬入位置に位置する準備用カートを待機位置まで移送するカート移送手段と、
前記搬入位置に移送された準備用カートから薬品トレイ群を保持して供給準備位置に移動させ、前記供給準備位置の薬品トレイ群から最下部に位置する薬品トレイをトレイ搬送ラインに供給するトレイ供給手段と、
前記待機位置に位置決めした準備用カートに載置した薬品トレイ群が、前記トレイ供給手段により昇降可能な最大積み重ね数を超えて積み重ねられたことを検出するトレイ検出手段と、
前記カート移送手段により準備用カートを待機位置から搬入位置に移送させ、搬入位置から待機位置に移送させる制御手段と、
を備え、
前記制御手段は、トレイ検出手段で最大積み重ね数を超えて積み重ねられたことが検出されれば、エラー報知させるようにしたものである。
【０００７】
この構成により、複数の薬品トレイを積み重ねた薬品トレイ群を準備用カート上に載置した状態で、この準備用カートを待機位置にセットすれば、カート位置決め手段によって位置決めされ、カート移送手段によって自動的に搬入位置へと移送することができる。そして、準備用カートが搬入位置に移送されれば、トレイ供給手段により薬品トレイ群を上動させて供給準備位置に位置させ、カート移送手段により準備用カートを待機位置へと移送することができる。したがって、作業者は準備用カートに積み重ねた薬品トレイを載置し、待機位置にセットするだけで、自動的に薬品トレイの供給を開始させることが可能となる。
【０００８】
前記制御手段は、準備用カートが待機位置に位置決めされているか否かを判断する薬品トレイ予約処理を実行するのが好ましい。
前記制御手段は、前記薬品トレイ予約処理で、前記準備用カートが待機位置に位置決めされていると判断すれば、前記カート移送手段により準備用カートを待機位置から搬入位置に移送させ、前記トレイ供給手段により、前記準備用カートに支持した薬品トレイをトレイ搬送ラインに供給すればよい。
【０００９】
前記制御手段は、前記トレイ供給手段の薬品トレイが全てトレイ搬送ラインに供給された後、前記カート移送手段により前記準備用カートを待機位置から搬入位置に移送させるようにすればよい。
【００１０】
この構成により、薬品トレイの供給が開始されてから、さらに積み重ねた薬品トレイを準備用カートに載置し、この準備用カートを待機位置にセットしておくだけで次の準備をしておくことができる。すなわち、供給準備位置に薬品トレイがなくなれば、自動的に準備用カートに載置した薬品トレイ群を搬入して供給準備位置に位置させ、準備用カートのみを待機位置へと移送することができ、薬品トレイをトレイ搬送ラインへと供給させることが可能となる。
【００１１】
前記準備用カートは、少なくとも２箇所に係止受部を備え、
前記カート位置決め手段は、前記準備用カートの２箇所の係止受部が係脱可能な係止部を備え、
前記カート移送手段は、前記係止部を移動させることにより準備用カートを待機位置と搬入位置との間で往復移動させるようにすればよい。
【００１２】
前記位置決め手段は、前記カート移送手段が、準備用カートを搬入位置から待機位置を超えた排出位置に移動させた後、係止部による係止受部への係止状態を維持するのが好ましい。
【００１３】
この構成により、薬品トレイ群が搬入された後の空のカートが、カート移送手段を離れて勝手に移動してしまうことを防止することができる。
【００１４】
前記位置決め手段は、準備用カートが待機位置に位置するとき、係止部による係止受部の係止状態を解除可能とするのが好ましい。
【００１５】
前記トレイ供給手段は、準備用カートの搬入方向に沿って両側にそれぞれ配置した昇降シャフトに沿って昇降するトレイ保持部を備え、
前記トレイ保持部は、両側の各昇降シャフトに噛合するピニオンギアを両端部に有する連結シャフトを備え、
前記昇降シャフトに沿って配置され、前記各ピニオンギアに噛合するラックギアをそれぞれ備えるようにするのが好ましい。
【００１６】
この構成により、ピニオンギアとラックギアとの噛合状態を維持しながら、トレイ保持部を昇降シャフトに沿って昇降させることができるので、揺れ等が発生せず、支持するトレイを安定した状態で昇降させることが可能となる。また、この構成により、下方部分のみに支持機構を配置するだけであっても、トレイの支持状態を安定させることができる。したがって、多くのトレイを積み重ねた状態であっても、随時、周囲からトレイを自由に供給することが可能となる。
【００１９】
前記薬品トレイは、仕切板を取り付けることにより内部が複数の収容部に区画され、
前記仕切板が所定の位置にセットされているか否か、あるいは、薬品トレイが正規の位置に停止しているか否かの薬品トレイのエラーを検出するエラー検出手段をさらに備えるのが好ましい。
【００２０】
この構成により、薬品トレイの仕切位置を自動的に検出して次の工程へと搬送することができる。
【００２１】
前記エラー検出手段は、駆動シャフトを中心として、検出位置と非検出位置の間で回動可能に設けたブラケットからなり、
前記ブラケットを検出位置に付勢する付勢手段と、
前記付勢手段によって付勢されたブラケットが検出位置を超えて回動することを防止する回動阻止手段と、をさらに備えるのが好ましい。
【００２２】
この構成により、エラー検出手段を、簡単かつ安価に製作でき、エラー検出時に損傷等の不具合が発生することもない。
【００２３】
前記エラー検出手段によって薬品トレイのエラーが検出されると、その旨を報知する報知手段をさらに備えるのが好ましい。
【００２４】
この構成により、オペレータは薬品トレイに不具合が発生したことをいち早く認識することが可能となる。
【００２５】
前記制御手段は、前記エラー検出手段によって薬品トレイのエラーが検出されると、該薬品トレイに対して、その後の処理を行わないようにするのが好ましい。
【００２６】
この構成により、エラーが検出された薬品トレイに薬品が供給されて患者に誤搬送される等の不具合の発生を未然に防止することが可能となる。
【発明の効果】
【００２７】
本発明によれば、予め準備用カート上に複数のトレイを積み重ねた状態で待機位置に用意しておくことができ、供給準備位置の薬品トレイが全て搬送されれば、自動的に準備用カートを搬入位置に搬入して、次の薬品トレイ群を供給準備位置にセットすることができる。また、薬品トレイ群が供給準備位置にセットされれば、準備用カートは自動的に待機位置に排出することができる。したがって、薬品トレイの準備の手間を大幅に軽減することができ、作業性を向上させることが可能となる。
【図面の簡単な説明】
【００２８】
【図１】本実施形態に係る薬品供給システムの概略を示す全体図である。
【図２】（ａ）は薬品トレイ供給装置の概略正面図、（ｂ）はその平面図である。
【図３】図２（ａ）の側面図である。
【図４】図２（ａ）の底面部を示す平面図である。
【図５】図４のカート移送部材の概要を示す動作説明図である。
【図６】図５のカート移送部材のアーム部の動作説明図である。
【図７】（ａ）は図２の仕切板検出部の概要を示す斜視図、（ｂ）はその平面図、（ｃ）はその側面図である。
【図８】図６の仕切板検出部の動作状態を示す説明図である。
【図９】（ａ）は図２のトレイ昇降部材を示す平面図、（ｂ）はその側面図である。
【図１０】本実施形態に係るブロックである。
【図１１】薬品トレイ予約処理を示すフローチャートである。
【図１２】薬品トレイ供給処理を示すフローチャートである。
【図１３】図１２の薬品トレイ払出処理を示すフローチャートである。
【図１４】図１２の仕切板確認処理を示すフローチャートである。
【図１５】図１２のカート引込・排出処理を示すフローチャートである。
【図１６】他の実施形態に係る薬品トレイ供給装置の概略斜視図である。
【発明を実施するための形態】
【００２９】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。
【００３０】
（１．構成）
図１は、本実施形態に係る薬品供給システムを示す。この薬品供給システムは、薬品トレイ供給装置１と薬品トレイ排出装置２を結ぶトレイ搬送ライン３の途中に、複数台の薬品払出装置４、カード書換装置５、及び、積上リフター６が配置されている。また、これらの各部材は、図９に示すように、制御装置７によって駆動制御されるようになっている。
【００３１】
（１−１．薬品トレイ供給装置１）
薬品トレイ供給装置１は、図２及び図３に示すように、装置本体８に、トレイ搬送部材９、カート移送部材１０、トレイ昇降部材１１を備えたものである。
【００３２】
（１−１−１．装置本体８）
装置本体８は、底面部１２と、両側から前面側へと突出する側面部１３と、背面部１４と、背面部１４の上端部から側面部１３よりもさらに前方へと突出する天板部１５とで構成されている。
【００３３】
底面部１２には、図４に示すように、前面側から背面側に向かって両側２箇所に連通溝１６がそれぞれ形成されている。これら連通溝１６は、後述する準備用カート３７を待機位置と搬入位置との間で移送する際に脚部３８との干渉を回避するためのものである。なお、連通溝１６の開放部分は前面側に向かうに従って徐々に切欠幅を広げるように形成されている。これにより、後述する準備用カート３７の脚部３８を容易に連通溝１６へと挿入することが可能となる。
【００３４】
背面部１４の下方側には、図２に示すように、仕切板検出部１７が設けられている。仕切板検出部１７は、トレイ搬送ライン３を搬送される薬品トレイ１８内に取り付けた仕切板２０が適切な位置にあるか否かを検出する。
【００３５】
薬品トレイ１８は、図７に示すように、平面視矩形状の有底筒状をしたプラスチック製の容器であり、上方開口部には鍔部１９が形成されている。また、両側面には溝等が形成され、仕切板２０を取り付けることにより、服用時期等に応じた複数の収容部に区画することができるようになっている。
【００３６】
仕切板検出部１７は、図７（ｂ）に示すように、駆動シャフト２１を中心として回動可能に設けたブラケット２２で構成されている。駆動シャフト２１にはギア２１a、２１ｂを介してモータ２１ｃの駆動力が伝達されるようになっている。駆動シャフト２１とブラケット２２は回転自在に連結されており、スプリング２１ｄによってブラケット２２は駆動シャフト２１に設けた当て板２３に当接するように付勢されている。したがって、ブラケット２２が上方位置すなわち非検出位置に位置するときは、スプリングの付勢力によってブラケット２２が図７（ｃ）に示す起立した状態を維持する。
【００３７】
ブラケット２２には、図７（ａ）及び（ｂ）に示すように、駆動シャフト２１とは反対側の側縁部（検出用側縁部）には複数の切欠部２２ａが形成されている。検出用側縁部は、薬品トレイ１８内に丁度侵入可能な長さに形成されている。これによって仕切の誤装着を確実に検出することができる。そして、各切欠部２２ａは、薬品トレイ１８の仕切板２０に対応する位置にそれぞれ形成されている。各切欠部２２ａの一部を構成する対向縁には（発光素子及び受光素子からなる）仕切板検出センサ２４が設けられている（勿論、反射式センサを用いることも可能である。）。各仕切板検出センサ２４は、ブラケット２２が図８（ａ）に示す検出位置に回転して、各切欠部２２ａに仕切板２０が位置し、発光素子からの光が反射して受光素子で受光することにより仕切板２０を検出できるようになっている。仕切板２０が適切な位置に取り付けられていない場合、図８（ｃ）に示すように、ブラケット２２の側縁部が仕切板２０に当接し、駆動シャフト２１の回転に拘わらず、ブラケット２２の回転が阻止され、仕切板２０が誤った位置に取り付けられていることが検出できる。また、本来取り付けられるべき位置に仕切板２０が取り付けられていない場合、その位置の仕切板検出センサ２４で受光素子が発光素子からの光を受光できない状態のままとなるので、仕切板２０が取り付けられていないことが検出できる。さらに、薬品トレイ１８自身の位置がずれている場合、図８（ｂ）に示すように、ブラケット２２の側縁部が薬品トレイ１８の開口縁部に当接して回転を阻止され、前記同様、仕切板検出センサ２４で受光素子が発光素子からの光を受光できない状態のままとなる。なお、スプリング２１ｄの付勢力は、ブラケット２２が回動を阻止される図８（ａ）〜（ｃ）の場合であっても、薬品トレイ１８に傷を付けることがないように、弱い値に設定されている。
【００３８】
両側の側面部１３の下方部分には、薬品トレイ１８が通過可能な開口（図示せず）がそれぞれ形成されている。また、各側面部１３の上方部分は、図３に示すように、背面部１４から僅かに突出するだけであり、搬入位置で積み重ねられた薬品トレイ１８の側方部分を完全に開放する。したがって、搬入位置で薬品トレイ１８が傾く等の不具合が発生しても前面及び両側面の３方向から対応することができる。また、随時、搬入位置に薬品トレイ１８を補給する場合であっても、同様に、３方向から挿入することができ、簡単にセットすることができる。したがって、非常にメンテナンス作業性に優れた環境を提供できる。また、一方の側面部１３の上方部分には、前面側に予約解除ボタン１３ａが設けられている。予約解除ボタン１３ａはＬＥＤ等が内蔵され、適宜、点灯又は消灯するようになっている。そして、点灯状態で、予約解除ボタン１３ａを押込操作すると、後述する待機位置での準備用カート３７の位置決め状態を強制的に解除できるようになっている。
【００３９】
天板部１５は、最大積み重ね数の薬品トレイ１８を載置した準備用カート３７であれば、丁度、搬入可能な位置で前方へと突出している。したがって、薬品トレイ１８の積み重ね数が最大値を超えると、天板部１５の前面が薬品トレイ１８に当接し、積み重ねた薬品トレイ群が正規の位置にセットできないようになっている。また、天版の前面中央部には、薬品トレイ１８を検出するためのトレイ検出センサ１５ａが設けられている。トレイ検出センサ１５ａは、薬品トレイ１８を積み重ねた準備用カート３７を、後述する待機位置にセットした状態で、前記最大値を超えて積み重ねられた薬品トレイ１８を検出し、後述するように、トレイ搬送部材９による搬入を阻止する。これにより、薬品トレイ１８の過剰な積み重ねが防止される。なお、天板部１５は積み重ねた薬品トレイ１８の最大値がどの位置であるのかの目安ともなる。但し、トレイ検出センサ１５ａにより最大値を超えて積み重ねられた薬品トレイ１８を検出することができるのであれば（トレイ検出センサ１５ａの検出範囲を大きくとれるのであれば）、天板部１５の突出量はそれ程大きくする必要はなく、場合によっては天板部１５は不要である。
【００４０】
（１−１−２．トレイ搬送部材９）
トレイ搬送部材９は、図４に示すように、装置本体８の底面部１２に設けられ、中央に位置する第１搬送部２５と、連通溝１６を挟んでその両側すなわちトレイ搬送ライン３の上下流側にそれぞれ位置する第２搬送部２６とで構成されている。第１搬送部２５は、所定間隔で並設した３本の回転軸に搬送ローラ２５ａとプーリ２５ｂをそれぞれ設け、隣接する回転軸２５ｃの各プーリ２５ｂ間にベルト２５ｄをそれぞれ掛け渡したものである。中央部の回転軸２５ｃには、図示しないが、ギアを介してモータの駆動力が伝達され、ベルト２５ｄ及びプーリ２５ｂを介して搬送ローラ２５ａが回転することにより、上方に載置した薬品トレイ１８を下流側へと搬送する。また、第２搬送部２６は、所定間隔で設けた２本の回転軸２６ａの両端部に搬送ローラ２６ｂ、中央部２箇所にプーリ２６ｃをそれぞれ設け、各回転軸２６ａのプーリ２６ｃ間にベルト２６ｄを掛け渡したものである。一方の回転軸２６ａには、図示しないが、モータの駆動力が伝達されるようになっており、プーリ２６ｃ及びベルト２６ｄを介して搬送ローラ２６ｂが回転し、薬品トレイ１８を搬送する。
【００４１】
（１−１−３．カート移送部材１０）
カート移送部材１０は、図５に示すように、両側面部１３の内側に沿って配置されたスライドレール２７に、スライドアーム２８を往復移動可能にそれぞれ設けたものである。
【００４２】
各スライドレール２７には、図５（ｂ）に示すように、前面側の端部に膨出部２９が形成され、その内側には傾斜面２９ａが形成されている。この傾斜面２９ａは、後述するように、スライドアーム２８のアーム部３２を回転させるために利用される。
【００４３】
スライドアーム２８は、一端側にスライドレール２７が摺動可能に貫通するほか、他端側がベルト２８ａに固定されている。ベルト２８ａは、底面部１２の前後にそれぞれ設けたプーリ２８ｂ、２８ｃに掛け渡されている。背面側に位置するプーリ２８ｃ同士は回転軸２８ｄによって互いに連結され、両者は同期して回転するようになっている。回転軸２８ｄの途中と、そのさらに背面側（背面部１４よりも背面の位置）にはプーリ２８ｅ、２８ｆ（２８ｆは駆動プーリ）が設けられ、これらプーリ２８ｅ、２８ｆにはベルト２８ｇが掛け渡されている。駆動プーリ２８ｆは、モータ２８ｈの回転軸に設けられ、モータ２８ｈが正逆回転駆動することにより、スライドアーム２８はプーリ２８ｅ、２８ｆ及びベルト２８ｇを介してスライドレール２７に沿って前後に往復移動するようになっている。
【００４４】
また、スライドアーム２８は、アーム本体３０と、このアーム本体３０に支軸３１を中心として回転可能に設けたアーム部３２とで構成されている。
【００４５】
アーム部３２は、支軸３１が連結される第１直線部３２ａと、この第１直線部３２ａから直角に屈曲した第２直線部３２ｂと、この第２直線部３２ｂからさらに直角に曲がった第３直線部３２ｃとからなり、全体として略Ｃ字形に形成されている。
【００４６】
第１直線部３２ａの端部には、アーム本体３０との間にコイルスプリング３３が連結されている。詳しくは、図５（ｂ）中、上端部をアーム本体３０に固定されて下方に延びる第１取付部３４の下端部と、右端部をアーム部３２の第１直線部の端部に固定されて左方向に延びる第２取付部３５の左端部との間にコイルスプリング３３の両端部がそれぞれ連結されている。これにより、アーム部３２は、一端側を上方に向かって付勢され、その一部を図示しない当接受部に当接させて、図５（ｂ）に示す閉鎖位置に位置決めされる。
【００４７】
第２直線部３２ｂの途中には、軸部３６が形成され、図５（ｂ）中、紙面に対して直交する下面側へと延びている。軸部３６は、スライドアーム２８がスライドレール２７に沿って前面側へと移動することにより、スライドレール２７の膨出部２９に形成した傾斜面２９ａに摺接し、アーム本体３０に対してアーム部３２を回転させる。
【００４８】
第３直線部３２ｃは、アーム部３２が前記閉鎖位置に位置するとき、装置本体８の底面部１２の連通溝１６に突出する。第３直線部３２ｃには、連通溝１６に突出した状態で、前面側に位置する部分に、先端に向かうに従って徐々に背面側に傾斜する傾斜面が３２ｄ形成されている。傾斜面３２ｄは、図６（ｂ）から図６（ｃ）に示すように、準備用カート３７の脚部３８によって押し込まれることにより、アーム部３２をコイルスプリング３３の付勢力に抗して支軸３１を中心として回転させるためのものである。準備用カート３７の脚部３８の挿入が完了すると、アーム部３２はコイルスプリング３３の付勢力により元の位置に復帰し、図６（ｃ）に示すように、アーム部３２によって脚部３８が保持された脱落不能な状態となる。
【００４９】
前記カート移送部材１０のアーム部３２には、準備用カート３７を係脱可能となっている。準備用カート３７は、詳しくは図示しないが、４本の脚部３８ａの上方に支持台３８ｂを一体化したもので、各脚部３８ａにはキャスター（図示せず）が設けられ、平面上を自由に移動できるようになっている。支持台３８ｂの上面には、薬品トレイ１８を複数個積み重ねることができるようになっている。各脚部３８ａの直径は、装置本体８の底面部１２に形成した連通溝１６に設けたアーム部３２に係脱可能なサイズである。
【００５０】
（１−１−４．トレイ昇降部材１１）
トレイ昇降部材１１は、図９に示すように、装置本体８の両側面部１３の前後にそれぞれ設けた上下方向に延びる昇降シャフト３９にトレイ保持部４０を昇降可能に設けたものである。トレイ保持部４０には、図９（ｂ）に示すように、薬品トレイ１８の鍔部１９を支持可能に接近した支持位置と、離れた解放位置との間で往復移動する支持片４１が設けられている。支持片４１は、先端の一部が上方に向かって切り起こされており、薬品トレイ１８の鍔部１９の側縁と下面とを支持する。なおここでは、支持片４１の往復移動機構については、詳しくは説明しないが、底面に複数のローラを備え、駆動部材により往復移動する構成が採用されている（支持位置と解放位置の間での移動機構の詳細については、WO/2005/105629参照）。
【００５１】
前記各トレイ保持部４０には、図９（ｃ）に示すように、両端部にピニオンギア４２を一体化した連結シャフト４３が回転可能に取り付けられている。そして、各ピニオンギア４２は、装置本体８の両側面部１３内面にそれぞれ形成された、上下方向に延びるラックギア４４にそれぞれ噛合されている。また、トレイ保持部４０は、両端部で、クランプ部４０ａを介してプーリ４０ｂ、４０ｃ間に掛け渡したベルト４０ｄに固定されている。下方側のプーリ４０ｃ同士は軸部材４０ｅによって連結され、その中央部にはプーリ４０ｆが一体化されている。このプーリ４０ｆと、その側方に設けたプーリ４０ｇとの間にもベルト４０ｈが掛け渡され、側方のプーリ４０ｇはモータ４０ｉにより正逆回転するようになっている。これにより、モータ４０ｉを正逆回転駆動すると、プーリ４０ｂ、４０ｃ、４０ｆ及びベルト４０ｄ、４０ｈを介してトレイ保持部４０が下方側の供給位置と、上方側の供給準備位置との間を昇降する。このとき、ピニオンギア４２がラックギア４４との噛合位置を変更させ、昇降状態を確実で安定したものとする。したがって、背面側に駆動手段であるモータ４０ｈを配置し、かつ、ベルト伝動であっても、スムーズにトレイ保持部４０を昇降させることが可能となる。
【００５２】
（１−２．トレイ排出装置）
トレイ排出装置は、図１に示すように、カート待機部４５とトレイ供給部４６とからなり、上方部にはカート移送部材１０（図示せず）が設けられ、空の配送用カート４７に、薬品を収容された薬品トレイ１８を順次収納する（詳細については、WO/2005/105629参照）。
【００５３】
（１−３．薬品排出装置）
薬品払出装置４は、図１に示すように、サーバ等から入力される処方データに基づいて、該当する薬品を１包分ずつ包装し、トレイ搬送ライン３を搬送される、該当する薬品トレイ１８に払い出すものである。各薬品払出装置４の下方には、トレイ搬送ライン３を移動してきた薬品トレイ１８を必要に応じて一旦停止させるためのストッパ（図示せず）が設けられている。
【００５４】
（１−４．カード書換装置５）
カード書換装置５は、図１に示すように、薬品トレイ１８に設けた識別カード（図示せず）に所定事項を印刷するためのもので、既に印刷されていても、その内容を書き換えて印刷し直すことが可能である（詳しくは、例えば、特開２００２−１６５８６５号公報参照）。
【００５５】
（１−５．積上リフター６）
積上リフター６は、図示しないが、薬品を収容されて搬送されてきた薬品トレイ１８を積み上げて待機させておき、順次、トレイ排出装置へと供給するためのものである（詳しくは、例えば、特開２００２−２４０９４６号公報参照）。
【００５６】
（１−６．制御装置７）
制御装置７は、図１０に示すように、サーバ４８、等から受信し、あるいは、入力装置４９（例えば、キーボード、マウス、タッチパネル等）から入力される処方データに基づいて、薬品払出装置４、トレイ搬送ライン３の各ローラ、薬品トレイ排出装置２、等を駆動制御する。
【００５７】
（２．動作）
次に、前記構成の薬品供給システムの動作、ここでは、本発明の特徴部分である薬品トレイ供給装置１での動作について、図１１から図１７のフローチャートに従って説明する。
【００５８】
薬品トレイ供給装置１では、薬品トレイ１８の予約処理と供給処理とが行われる。
【００５９】
（２−１．薬品トレイ予約処理）
薬品トレイ予約処理では、図１１に示すように、準備用カート３７が待機位置にセットされているかを判断する（ステップＳ１）。この判断は、準備用カート３７の２箇所の脚部３８ａが装置本体８の底面部１２の連通溝１６に挿入され、脚部３８ａが第１脚部検出センサ（図示せず）によってそれぞれ検出されたか否かによって行う。第１脚部検出センサによって両脚部３８ａが検出された状態では、準備用カート３７はアーム部３２に保持され、待機位置にて移動不能となる。このとき、予約解除ボタンを点灯状態とする（ステップＳ２）。一方、第１脚部検出センサによって両脚部３８ａが検出されなければ、予約解除ボタンを消灯する（ステップＳ３）。予約解除ボタンが点灯状態であれば、押し込み操作することにより（ステップＳ４）、スライドアーム２８を開放位置に前進させてアーム部３２による準備用カート３７の保持状態を解除する（ステップＳ５）。なお、待機位置への準備用カート３７のセットは、先に待機位置にセットされている準備カート３７がなければ、いつでも行うことができる。
【００６０】
（２−２．薬品トレイ供給処理）
薬品トレイ供給処理では、図１２のフローチャートに示すように、まず、初期動作（原点取り）を行う（ステップＳ１１）。続いて、トレイ搬送ライン３上に薬品トレイ１８があるか否かを判断する（ステップＳ１２）。トレイ搬送ライン３上に薬品トレイ１８がなければ、トレイ保持部４０によって供給準備位置に薬品トレイ１８が保持されているか否かを判断する（ステップＳ１３）。薬品トレイ１８が支持されていれば、薬品トレイ払出処理を実行した後（ステップＳ１４）、仕切板確認処理を実行する（ステップＳ１５）。一方、薬品トレイが支持されていなければ、カート引込・排出処理を実行する（ステップＳ１６）。
【００６１】
（２−２−１．初期動作）
初期動作では、装置本体８内に収容した薬品トレイ群を供給準備位置へと上昇させる。また、モータを駆動することによりスライドレール２７に沿ってスライドアーム２８を図６（ａ）に示す前進位置へと前進させる。この状態では、アーム部３２は回動せず、連通溝１６には第３直線部３２ｃが突出する。
【００６２】
（２−２−２．薬品トレイ払出処理）
薬品トレイ払出処理では、図１３に示すように、トレイ昇降部材１１を駆動し、昇降シャフト３９に沿ってトレイ保持部４０を降下させ、薬品トレイ群を供給準備位置から供給位置へと移動させる（ステップＳ２１）。最下部に位置する薬品トレイ１８がトレイ搬送部材９の搬送ローラ上に載置されれば、支持片４１を後退させて、薬品トレイ１８の鍔部１９での支持状態を解除する（ステップＳ２２）。そして、トレイ保持部４０を一段上に位置する薬品トレイ側へと移動させた後（ステップＳ２３）、再び、支持片４１を前進させる（ステップＳ２４）。この状態で、トレイ保持部４０を上昇させることにより、最下段に位置する薬品トレイ１８のみを第１搬送部２５に残留させ、それよりも上方に位置する残る薬品トレイ群を供給準備位置へと上昇させる（ステップＳ２５）。
【００６３】
（２−２−３．仕切板確認処理）
仕切板確認処理では、図１４に示すように、底面部１２上に残された薬品トレイ１８内の適切な位置に仕切板２０が取り付けられているか否かを判断する。すなわち、図示しない第３トレイ検出センサで、第１搬送部２５上に薬品トレイ１８が位置しているか否かを検出する（ステップＳ３１）。第１搬送部２５上に薬品トレイ１８が位置していれば、モータを駆動してブラケット２２を検出位置へと回転させる（ステップＳ３２）。そして、検出位置での各仕切板検出センサ２４での検出信号に基づいて、エラーが発生していないか否かを判断する（ステップＳ３３）。薬品トレイ１８が適切な位置にない場合、仕切板２０が適切な位置に取り付けられていない場合（余分に取り付けられている場合、取付位置が誤っている場合）、ブラケット２２の側縁部が仕切板等に当接し、それ以上の回転を阻止される。このため、仕切板検出センサ２４で仕切板２０を検出できない。仕切板２０が全く取り付けられていない、あるいは、取り付けられていない箇所がある場合、仕切板検出センサ２４の全部又は一部で仕切板２０を検出できない。
【００６４】
このように、仕切板検出センサ２４での検出信号からエラーが発生していると判断される場合、予め設定した内容に応じて次のようにしてエラー処理を行う。すなわち、第１の設定内容であるのか、あるいは、第２の設定内容であるのかを判断する（ステップＳ３４）。そして、第１の設定内容であると判断されれば、エラーが発生した薬品トレイ１８であれば、その後の薬品払出装置４で薬品の払出を行わずにそのまま通過させる（ステップＳ３５）。そして、仕切板検出センサ２４のブラケット２２は元の非検出位置に回転させる（ステップＳ３６）。一方、第２の設定方法であると判断されれば、エラーを報知する（ステップＳ３７）。オペレータは、エラー報知に基づいて、仕切板２０の取付位置を修正したりする等のメンテナンスを施す。そして、前記同様、仕切板検出センサ２４のブラケット２２は元の位置に回転させた後（ステップＳ３８）、ステップＳ３１に戻って前記処理を行わせる。なお、前記ステップＳ３４で行った、第１の設定内容であるのか、あるいは、第２の設定内容であるのかの判断は、予め、モニター等に設定画面を表示させて選択しておくことにより記憶させておき、その記憶内容に従って行うようにすればよい。
【００６５】
（２−２−４．カート搬入・搬出処理）
カート搬入・搬出処理では、図１５に示すように、準備用カート３７が待機位置にセットされているか否かを判断する（ステップＳ４１）。この判断は、前記薬品トレイ予約処理の場合と同様、装置本体８の底面部１２の連通溝１６に設けた第１脚部検出センサ（図示せず）によって準備用カート３７の２箇所の脚部３８ａを検出できるか否かにより行う。
【００６６】
待機位置に準備用カート３７がセットされていなければ、薬品トレイ１８が欠品となった旨を、ブザー等で報知する（ステップＳ４２）。オペレータは、この報知に基づいて準備用カート３７に薬品トレイ１８を載置して待機位置にセットすればよい。待機位置に準備用カート３７をセットし終われば、図示しないセット完了ボタンを操作する等により再スタートし（ステップＳ４３）、前記ステップＳ４２に戻って準備用カート３７が待機位置にセットされているか否かを判断するようにすればよい。
【００６７】
一方、待機位置に準備用カート３７がセットされていれば、トレイ検出センサ１５ａにより薬品トレイ１８が最大値を超えて積み重ねられているか否かを検出する。そして、薬品トレイ１８が最大値を超えて積み重ねられていると判断すれば、トレイ搬送部材９による搬入を阻止する。これにより、薬品トレイ１８の過剰な積み重ねが防止される。また、薬品トレイ１８の積み重ね数が適正であれば、モータを駆動してスライドレール２７に沿ってスライドアーム２８を後退させ、準備用カート３７を搬入位置に位置決めする（ステップＳ４４）。そして、搬入位置に位置決めされた準備用カート３７から、トレイ保持部４０を駆動することにより載置した薬品トレイ群を保持して供給準備位置に持ち上げて位置決めする（ステップＳ４５）。続いて、モータを駆動してスライドレール２７に沿ってスライドアーム２８を図６（ｄ）に示す前進位置からさらに図６（ｅ）に示す開放位置へと前進させ、準備用カート３７を搬入位置から待機位置、さらにその前方の排出位置へと移動させる（ステップＳ４６）。これにより、準備用カート３７の脚部３８ａは連通溝１６から排出されることになる。そして、第２脚部検出センサによって準備用カート３７の脚部３８ａが検出された後、非検出となれば、モータを逆転駆動してスライドアーム２８を後退させ、アーム部３２を閉鎖位置へと回転させる（ステップＳ４７）。
【００６８】
なお、準備用カート３７は、待機位置のさらに前方に移送した際、アーム部３２による保持状態を維持するようにしてもよい。これによれば、準備用カート３７が装置本体８から離れ、他の作業等の邪魔になることがない点で好ましい。
【００６９】
また、前記実施形態では、薬品トレイ群を供給準備位置に積み重ねた状態で支持し、最下部に位置するものから順にトレイ搬送ライン３へと払い出すようにしたが、他の場所に積み重ねた状態で保持し、最下部に位置する薬品トレイ１８から順にベルトコンベア等で仕切板検出センサ２４による検査位置まで移動させるように構成することも可能である。
【００７０】
また、前記実施形態では、装置本体８は、底面部１２と、両側から前面側へと突出する側面部１３と、背面部１４と、背面部１４の上端部から側面部１３よりもさらに前方へと突出する天板部１５とで構成したが、図１６に示す構成とするのが好ましい。
【００７１】
すなわち、図１６では、天板部１５を不要とし、側面部１３の一方の上端部から水平方向に腕部５０を延ばしている。腕部５０の先端部分には、待機位置にセットされた準備用カート３７上に積み重ねた薬品トレイ１８側に向かって傾斜する傾斜面５０ａが形成され、そこには非接触式のセンサ５１が設けられている。センサ５１は、待機位置にセットされた準備用カート３７上に所定高さまで薬品トレイ１８が積み重ねられていれば、検出できるようになっている。使用するセンサ５１としては、発光素子及び受光素子からなる光センサのほか、近接センサ等が挙げられる。光センサの場合、発光素子からの光が薬品トレイ１８で反射し、受光素子で受光されることにより、準備用カート３７がその高さまで積み重ねられていることを検出する。近接センサの場合、薬品トレイ１８に磁性材料からなる小片等を一体化しておけばよい。
【００７２】
前記構成の装置本体８によれば、前記実施形態のものと同様にして、薬品トレイ１８を積み重ねた準備用カート３７を待機位置にセットした状態で、最大値を超えて積み重ねられた薬品トレイ１８を検出し、トレイ搬送部材９による搬入を阻止することにより、薬品トレイ１８の過剰な積み重ねを防止することができる。また、天板部１５をなくすことで、センサ５１が故障している場合等により準備用カート３７を待機位置から搬入位置に移動させることがあったとしても、薬品トレイ１８が衝突する部位がなく、安心である。
【符号の説明】
【００７３】
１…薬品トレイ供給装置
２…薬品トレイ排出装置
３…トレイ搬送ライン
４…薬品払出装置
５…カード書換装置
６…積上リフター
７…制御装置（制御手段）
８…装置本体
９…トレイ搬送部材
１０…カート移送部材（カート移送手段）
１１…トレイ昇降部材
１２…底面部
１３…側面部
１４…背面部
１５…天板部
１６…連通溝
１７…仕切板検出部
１８…薬品トレイ
１９…鍔部
２０…仕切板
２１…駆動シャフト
２２…ブラケット
２３…当て板
２４…仕切板検出センサ
２５…第１搬送部
２６…第２搬送部
２７…スライドレール
２８…スライドアーム（カート位置決め手段）
２９…膨出部
３０…アーム本体
３１…支軸
３２…アーム部（係止部）
３３…コイルスプリング
３４…第１取付部
３５…第２取付部
３６…軸部
３７…準備用カート
３８ａ…脚部（係止受部）
３９…昇降シャフト
４０…トレイ保持部
４１…支持片
４２…ピニオンギア
４３…連結シャフト
４４…ラックギア
４５…カート待機部
４６…トレイ供給部
４７…配送用カート
４８…サーバ
４９…入力装置
５０…腕部
５１…センサ
【図１】
0005533653.tif 000002
【図２】
0005533653.tif 000003
【図３】
0005533653.tif 000004
【図４】
0005533653.tif 000005
【図５】
0005533653.tif 000006
【図６】
0005533653.tif 000007
【図７】
0005533653.tif 000008
【図８】
0005533653.tif 000009
【図９】
0005533653.tif 000010
【図１０】
0005533653.tif 000011
【図１１】
0005533653.tif 000012
【図１２】
0005533653.tif 000013
【図１３】
0005533653.tif 000014
【図１４】
0005533653.tif 000015
【図１５】
0005533653.tif 000016
【図１６】
0005533653.tif 000017